(57)【要約】【課題】さらなる放熱特性を向上させることができる照明装置を提供する。【解決手段】照明装置１は、ヒートシンク３０１Ａ,３０１Ｂの表面に光源が設けられてなる光源ユニットを上下に備える照明装置において、  前記ヒートシンク３０１Ａ，３０１Ｂは、表裏方向に筒状に延伸し且つ内部に作動液が充填されたヒートパイプ３０３Ａ，３０３Ｂと、ヒートパイプ３０３Ａ，３０３Ｂの外周面に設けられた複数枚のフィン３０４Ａ，３０４Ｂとを備え、上側の光源ユニットにおける複数枚のフィン３０４Ａは、下側の光源ユニットで熱せられた空気がヒートパイプ３０３Ａに触れるのを規制するように延伸している。【選択図】図７
2020087545.tif 000002
【特許請求の範囲】
【請求項１】
ヒートシンクの表面に光源が設けられてなる光源ユニットを上下に備える照明装置において、
前記ヒートシンクは、表裏方向に筒状に延伸し且つ内部に作動液が充填されたヒートパイプと、前記ヒートパイプの外周面に設けられた複数枚のフィンとを備え、
前記上側の光源ユニットにおける前記複数枚のフィンは、前記下側の光源ユニットで熱せられた空気が前記ヒートパイプに触れるのを規制するように延伸している
照明装置。
【請求項２】
前記上側の光源ユニットにおける前記複数枚のフィンのうち、前記ヒートパイプの筒軸に対して下方に位置する下部フィンは、上下方向と表裏方向とに直交する横方向に沿って延伸する横延伸部を有する
請求項１に記載の照明装置。
【請求項３】
前記下部フィンは前記ヒートシンクから径方向に延伸する径延伸部を有し、
前記横延伸部は前記径延伸部の延伸先端から延伸する
請求項２に記載の照明装置。
【請求項４】
前記ヒートパイプは、深さ０．２〜０．５ｍｍであって筒軸方向に延伸し且つ周方向のピッチが０．２〜０．６ｍｍの溝を内周面に有する
請求項１〜３の何れか１項に記載の照明装置。
【請求項５】
前記光源ユニットは、前記ヒートシンクを収容する筐体を備え、
前記筐体は、前記ヒートシンクと対向する下面に貫通孔を複数個有する
請求項１〜４の何れか１項に記載の照明装置。
【請求項６】
前記光源ユニットは、前記ヒートシンクを収容する筐体を備え、
前記筐体は、前記ヒートシンクと対向する面に貫通孔を複数個有する
請求項１〜４の何れか１項に記載の照明装置。
【請求項７】
前記筐体は、表面の一部が開口する箱状をし、
前記ヒートシンクは、前記光源が前記開口から露出する状態で、前記筐体の表面に固定され、
前記光源ユニットは、前記光源を表側から覆うカバーが前記筐体の表面にパッキンを介して取り付けられ、
前記パッキンは前記カバーと当接する部位に凸部を有し、
前記カバーは、前記パッキンと当接する部位に、前記凸部と嵌合する凹部を有する
請求項５又は６に記載の照明装置。
【請求項８】
前記上下の光源ユニットに点灯電力を供給する電源ユニットを前記筐体の裏面に備え、
前記電源ユニットは、前記ヒートパイプの筒軸の延伸方向の裏側から見たときに、前記上下の光源ユニットに跨るように配されている
請求項７に記載の照明装置。
【請求項９】
前記上下の光源ユニットに固定されて当該上下の光源ユニットを連結する連結具を備え、
前記連結具は、前記上下の光源ユニットのカバーを表側から係止する係止部を有する
請求項７又は８に記載の照明装置。
【発明の詳細な説明】
【技術分野】
【０００１】
本発明は、ヒートシンクの表面に光源が設けられてなる光源ユニットを上下に備える照明装置に関する。
【背景技術】
【０００２】
光源ユニットを上下に備える高出力タイプの照明装置が提案されている（例えば、特許文献１）。
特許文献に記載の照明装置は、例えば、「筐体に、発光素子を実装した発光素子基板を光源に備えた照明器具において、前記発光素子基板が取り付けられ、前記発光素子基板の熱が伝熱される高熱伝導性材から成る基板取付部材を備え、前記筐体には、前記基板取付部材が一部を前記筐体の外に露出した状態で係合する係合孔を設け、前記基板取付部材と前記筐体の係合孔との接触箇所に電気絶縁材を設け、前記基板取付部材は、前記筐体の外側に前記係合孔から突出し前記発光素子基板の熱を放熱する放熱部を備え、前記放熱部は、前記筐体の外側に配置された放熱フィンと、前記発光素子基板の熱を前記放熱フィンに伝えるヒートパイプと、を備えることを特徴とする」とされている。
【先行技術文献】
【特許文献】
【０００３】
【特許文献１】特開２０１４−２３５８２０号公報
【発明の概要】
【発明が解決しようとする課題】
【０００４】
上記のような照明装置は、放熱特性は向上しているものの、さらなる放熱特性の向上の要望がある。
本発明は、さらなる放熱特性を向上させることができる照明装置を提供することを目的とする。
【課題を解決するための手段】
【０００５】
本発明に係る照明装置は、ヒートシンクの表面に光源が設けられてなる光源ユニットを上下に備える照明装置において、前記ヒートシンクは、表裏方向に筒状に延伸し且つ内部に作動液が充填されたヒートパイプと、前記ヒートパイプの外周面に設けられた複数枚のフィンとを備え、前記上側の光源ユニットにおける前記複数枚のフィンは、前記下側の光源ユニットで熱せられた空気が前記ヒートパイプに触れるのを規制するように延伸している。
【発明の効果】
【０００６】
上記構成によれば、上側の光源ユニットのヒートパイプが下側の光源ユニットにより加熱されるのを防止している。
【図面の簡単な説明】
【０００７】
【図１】実施形態に係る照明装置を表側上方から見た斜視図である。
【図２】照明装置を裏側上方から見た斜視図である。
【図３】照明装置の縦断面図である。
【図４】光源セットの分解状態を表側上方から見た斜視図である。
【図５】光源ユニットの縦断面図であり、一部拡大図である。
【図６】（ａ）は光源ユニットの断面を表側上方から見た拡大斜視図であり、（ｂ）は光源ユニットの断面を裏側上方から見た拡大斜視図である。
【図７】ヒートシンクの位置関係を示す図である。
【図８】第２実施形態に係るヒートシンクを裏側から見た図である。
【図９】試験結果を示す図である。
【図１０】変形例に係る照明装置の図であり、（ａ）は斜視図であり、（ｂ）は断面図である。
【発明を実施するための形態】
【０００８】
＜概要＞
実施形態の一態様に係る照明装置は、ヒートシンクの表面に光源が設けられてなる光源ユニットを上下に備える照明装置において、前記ヒートシンクは、表裏方向に筒状に延伸し且つ内部に作動液が充填されたヒートパイプと、前記ヒートパイプの外周面に設けられた複数枚のフィンとを備え、前記上側の光源ユニットにおける前記複数枚のフィンは、前記下側の光源ユニットで熱せられた空気が前記ヒートパイプに触れるのを規制するように延伸している。
実施形態の別態様に係る照明装置において、前記上側の光源ユニットにおける前記複数枚のフィンのうち、前記ヒートパイプの筒軸に対して下方に位置する下部フィンは、上下方向と表裏方向とに直交する横方向に沿って延伸する横延伸部を有する。これにより、上側の光源ユニットのヒートパイプが下側の光源ユニットにより加熱されるのを防止できる。
実施形態の別態様に係る照明装置において、前記下部フィンは前記ヒートシンクから径方向に延伸する径延伸部を有し、前記横延伸部は前記径延伸部の延伸先端から延伸する。これにより、体積当たりのフィンの長さを長くできる。
【０００９】
実施形態の別態様に係る照明装置において、前記ヒートパイプは、深さ０．２〜０．５ｍｍであって筒軸方向に延伸し且つ周方向のピッチが０．２〜０．６ｍｍの溝を内周面に有する。これにより、ヒートパイプの放熱特性を向上させることができる。
実施形態の別態様に係る照明装置において、前記光源ユニットは、前記ヒートシンクを収容する筐体を備え、前記筐体は、前記ヒートシンクと対向する下面に貫通孔を複数個有する。これにより、風が筐体内を通過でき、ヒートシンクの放熱特性が向上する。
実施形態の別態様に係る照明装置において、前記光源ユニットは、前記ヒートシンクを収容する筐体を備え、前記筐体は、前記ヒートシンクと対向する面に貫通孔を複数個有する。これにより、風が筐体内を通過でき、ヒートシンクの放熱特性が向上する。
【００１０】
実施形態の別態様に係る照明装置において、前記筐体は、表面の一部が開口する箱状をし、前記ヒートシンクは、前記光源が前記開口から露出する状態で、前記筐体の表面に固定され、前記光源ユニットは、前記光源を表側から覆うカバーが前記筐体の表面にパッキンを介して取り付けられ、前記パッキンは前記カバーと当接する部位に凸部を有し、前記カバーは、前記パッキンと当接する部位に、前記凸部と嵌合する凹部を有する。これにより、密閉性を向上させることができる。
実施形態の別態様に係る照明装置において、前記上下の光源ユニットに点灯電力を供給する電源ユニットを前記筐体の裏面に備え、前記電源ユニットは、前記ヒートパイプの筒軸の延伸方向の裏側から見たときに、前記上下の光源ユニットに跨るように配されている。これにより、上下の光源ユニット間の放熱バランスを担保できる。
実施形態の別態様に係る照明装置において、前記上下の光源ユニットに固定されて当該上下の光源ユニットを連結する連結具を備え、前記連結具は、前記上下の光源ユニットのカバーを表側から係止する係止部を有する。これにより、カバーが外れるのを防止できる。
【００１１】
＜第１実施形態＞
１．全体
照明装置１は、図１に示すように、上下に配された２個の光源セット（上光源セット３Ａ及び下光源セット３Ｂ）を備える。
ここでは、上光源セット３Ａ及び下光源セット３Ｂから光が出射される方向を表側とし、上下方向と表裏方向とに直交する方向を幅方向又は左右方向とする。
上光源セット３Ａと下光源セット３Ｂとは一対の連結具５によって幅方向の両側で固定されている。一対の連結具５は「Ｕ」字状のアーム７により幅方向を回転軸として回転自在に支持されている。これにより、上光源セット３Ａ及び下光源セット３Ｂから出射する光の向きを調整できる。
照明装置１は、図２に示すように、上光源セット３Ａ及び下光源セット３Ｂに点灯電力を供給するため図外の電源側ケーブルと接続される端子ユニット９を備える。
以下、各部について説明する。
【００１２】
２．各部
（１）光源セット
上光源セット３Ａと下光源セット３Ｂとの主な構成は同じであり、ヒートシンクのフィンの形状が異なる。このため、光源セット３として主な構成を説明し、最後にヒートシンクについて説明する。なお、光源セットを区別する必要がある場合、符号に「Ａ」又は「Ｂ」を付加し、図面に記載していない場合もある。
【００１３】
光源セット３は、図４に示すように、少なくとも光源ユニット３０を備える。ここでの光源セット３は、２個の光源ユニット３０を幅方向に備える。光源セット３は、光源ユニット３０以外に、筐体３２、リフレクタ３４、カバー３５のうち、１つ以上備えてもよい。本実施形態の光源セット３はこれらのすべてを備えている。なお、２個の光源ユニット３０は同じ構成である。
【００１４】
（１−１）光源ユニット
光源ユニット３０は、図５に示すように、ヒートシンク３０１とＬＥＤモジュール３０２とを備える。
ヒートシンク３０１は、表示方向に筒状に延伸し且つ内部に作動液が充填されるヒートパイプ３０３と、ヒートパイプ３０３の外周面に設けられた複数枚のフィン３０４とを有する。ヒートシンク３０１は、ヒートパイプ３０３とフィン３０４とを一体で備え、例えば、アルミニウムの引き抜き品により構成される。
ヒートパイプ３０３は、円筒状をし、その両端は表板３０５と裏板３０６とにより塞がれている。ヒートパイプ３０３は内周面に筒軸方向に沿って延伸する溝を有する。溝は、深さ０．２〜０．５ｍｍであって、周方向のピッチが０．２〜０．６ｍｍである。
【００１５】
複数枚のフィン３０４は、図７に示すように、ヒートパイプ３０３から径方向に延伸し、ヒートパイプ３０３の周方向に間隔をおいて設けられている。
ＬＥＤモジュール３０２は、１個又は複数個のＬＥＤを光源として基板に備え、１個又は複数個のＬＥＤが樹脂により封止されている。基板は方形状をし、その中央を中心とする円形領域内にＬＥＤが実装されている。なお、ＬＥＤモジュール３０２はＣＯＢタイプである。
ＬＥＤモジュール３０２は、ヒートシンク３０１の表板３０５の表面に搭載された状態で、表板３０５に取り付けられる環状体３０７（図６の（ａ）参照）により押圧され支持されている。環状体３０７は、図５の拡大図のように、裏面に段差部３０７ａを有し、ＬＥＤモジュール３０２の方形状の基板が当該段差部３０７ａに嵌合する。環状体３０７は、図示省略のねじが当該環状体３０７の貫通孔を挿通して表板３０５のねじ孔に螺合することで、ヒートシンク３０１に取り付けられる。
【００１６】
ヒートシンク３０１の表板３０５の厚みは、一定以上（例えば５ｍｍ以上）である方が放熱性の観点から望ましい。ただし、ヒートパイプ３０３との接合をレーザ溶接などで行う場合、放熱性が良すぎるとレーザによる加熱で十分に温度上昇しないため、出力が大きなレーザが必要となるなど製造設備面での制約が生じる。このため、ヒートシンク３０１の表板３０５の厚みとして、図５に示すように、ＬＥＤモジュール３０２が取り付けられている部分３０５ａを例えば５ｍｍとし、ヒートパイプ３０３と接合する部分３０５ｂを例えば２ｍｍとするなど、部分によって厚みが異なるようにしてもよい。
【００１７】
（１−２）筐体
主に図４を用いて説明する。
筐体３２は表面の一部が開口（３３０）する箱状をしている。ここでの筐体３２は幅方向に長い直方体状をしている。筐体３２は、周壁部材３３２、表壁部材３２４及び裏壁部材３２５を有する。周壁部材３３２は、上壁部３２０、下壁部３２１及び側壁部３２２，３２３により構成され、横断面において、矩形状の角部が面取りされたような形状をしている。
筐体３２は少なくともヒートシンク３０１を収容する。上側に位置する上光源セット３Ａの筐体３２Ａは、少なくとも下面（下壁部３２１）に貫通孔３２６を複数個有する。なお、ここでは、上下の光源セット３Ａ，３Ｂとも筐体３２の下壁部３２１に貫通孔３２６を有する。
筐体３２は、ヒートシンク３０１のフィン３０４と対向する面（壁）に貫通孔３２６を複数個有する。これにより、ヒートシンク３０１の熱を筐体３２の外部へと放出できる。筐体３２は、裏面（裏壁部材３２５）に貫通孔３２６を有してもよい。これにより、さらに放熱特性を向上できる。なお、本実施形態の筐体３２は、表壁部材３２４を除く他の壁部（３２０〜３２３、３２５）に貫通孔３２６を複数個有している。
ここでの貫通孔３２６は、上壁部３２０、下壁部３２１及び側壁部３２２，３２３において、筐体３２における周方向に長い矩形状、裏壁部材３２５において幅方向に長い矩形状をそれぞれしている。
【００１８】
表壁部材３２４と周壁部材３３２は互いに連結するための連結部を有している。つまり、図６の（ａ）に示すように、表壁部材３２４の板部３２９の周縁から裏側に延伸する表鍔部３２７が周壁部材３３２の表側端に嵌合する状態で、ねじ９０１が表鍔部３２７の貫通孔を挿通して上壁部３２０、下壁部３２１及び側壁部３２２，３２３のねじ孔に螺合する。
裏壁部材３２５と周壁部材３３２は互いに連結するための連結部を有している。つまり、図６の（ｂ）に示すように、裏壁部材３２５の板部３３１の周縁から表側に延伸する裏鍔部３２８が周壁部材３３２の裏側端に嵌合する状態で、ねじ９０２が裏鍔部３２８の貫通孔を挿通して上壁部３２０、下壁部３２１及び側壁部３２２，３２３のねじ孔に螺合する。
【００１９】
表壁部材３２４は、図４に示すように、板部３２９に貫通孔３３０を有し、貫通孔３３０からＬＥＤモジュール３０２が露出する状態で、光源ユニット３０がパッキン３６を介して表壁部材３２４の裏側に取り付けられる。
パッキン３６は、図４に示すように、ヒートシンク３０１の円盤状の表板３０５に対応して、円環状をしている。
パッキン３６は、図５の拡大図に示すように、外周縁から表板３０５の周縁に沿って裏側に屈曲し、内周縁から表壁部材３２４の貫通孔３３０に沿って表側に屈曲している。つまり、パッキン３６の断面形状は「Ｚ」状をしている。これにより、ヒートシンク３０１側からＬＥＤモジュール３０２側への水分の侵入を防止している。
パッキン３６は、ヒートシンク３０１の表板３０５と当接する面に裏側に突出する凸部３６１を有する。パッキン３６は、筐体３２の表壁部材３２４と当接する面に表側に突出する凸部３６３を有する。
表壁部材３２４への光源ユニット３０の取り付けは、図５に示すねじ９０３が表側から、表壁部材３２４とパッキン３６の貫通孔を挿通した後、ヒートシンク３０１の表板３０５のねじ孔に螺合することで、行われる。
【００２０】
（１−３）リフレクタ
リフレクタ３４は、図５及び図６に示すように、表側拡がりのコーン状をし、内周面が反射面となっている。リフレクタ３４の横断面形状は円形状をしている。リフレクタ３４の裏側端が光源ユニット３０の環状体３０７の開口に嵌合し、リフレクタ３４の表側端の外鍔部３４１がカバー３５の板部３５１に当接する。これにより、リフレクタ３４は、位置決めされた状態で、カバー３５内で支持される。
【００２１】
（１−４）カバー
カバー３５は、図４に示すように、表側から見ると、幅方向に長い箱状をしている。カバー３５は、幅方向に長い長円状をする板部３５１と、板部３５１の周縁から裏側に延伸する筒部３５２と、筒部３５２の裏側端から外側に屈曲する屈曲部３５３とを有する。
カバー３５は、２個のリフレクタ３４を並列状態で覆う状態で、パッキン３７を介して筐体３２の表側に固定される。
パッキン３７は、カバー３５の屈曲部３５３と同じような形状をしている。カバー３５は、ねじ９０４が屈曲部３５３の貫通孔、パッキン３７の貫通孔を挿通して、筐体３２の表壁部材３２４のねじ孔に螺合する。
【００２２】
パッキン３７は、図４に示すように、矩形環状部３７１と、矩形環状部３７１の内周縁から表側に屈曲する内鍔部３７３とを有する。矩形環状部３７１は、図５の拡大図に示すように、カバー３５の屈曲部３５３と筐体３２の表壁部材３２４とにより挟まれ、内鍔部３７３の外周面は、カバー３５の筒部３５２の内周面に嵌合する。これにより、カバー３５と筐体３２との間から内部への水分の侵入を防止している。
パッキン３７は、カバー３５の屈曲部３５３と当接する面に表側に突出する凸部３７５を有する。パッキン３７は、筐体３２の表壁部材３２４と当接する面に裏側に突出する凸部３７７を有する。
【００２３】
（２）連結具
図１を用いて説明する。
連結具５は上下の光源セット３Ａ，３Ｂを連結する。連結具５は上下方向に長い板状をし、その上下方向の中央部でアーム７に連結される。
連結具５は、上下方向の中央が幅方向の外方へと膨出する膨出部５１と、膨出部５１の上端から上方に延伸する上延伸部５３と、膨出部５１の下端から下方に延伸する下延伸部５５とを有する。ここでの連結具５は、上延伸部５３と下延伸部５５との表側端から幅方向の内側に屈曲する上屈曲部５７と下屈曲部５９とを有する。
【００２４】
膨出部５１にはねじ９０５によりアーム７が取付けられる。
上延伸部５３は、図２に示すように、上光源セット３Ａの筐体３２における表壁部材３２４の表鍔部３２７側に屈曲して、表鍔部３２７の貫通孔に係合する上係合部分５３１を有する。上延伸部５３は、上下複数のねじ９０６が上延伸部５３、表壁部材３２４の表鍔部３２７の貫通孔を挿通して、側壁部３２２，３２３のねじ孔に螺合することで、上光源セット３Ａに固定される。
下延伸部５５は、下光源セット３Ｂの筐体３２における表壁部材３２４の表鍔部３２７側に屈曲して、表鍔部３２７の貫通孔に係合する下係合部分５５１を有する。下延伸部５５は、上下複数のねじ９０６が下延伸部５５、表壁部材３２４の表鍔部３２７の貫通孔を挿通して、側壁部３２２，３２３のねじ孔に螺合することで、下光源セット３Ｂに固定される。
【００２５】
図１に戻って、上屈曲部５７は、上光源セット３Ａのカバー３５の屈曲部３５３に表側から当接する。これにより、カバー３５の筐体３２からの落下を防止できる。上屈曲部５７は本発明の係止部の一例に相当する。
下屈曲部５９は、下光源セット３Ｂのカバー３５の屈曲部３５３に表側から当接する。これにより、カバー３５の筐体３２からの落下を防止できる。下屈曲部５９は本発明の係止部の一例に相当する。
【００２６】
（３）アーム
アーム７は、図２に示すように設置面に固定されるベース部７１と、ベース部７１の幅方向の両端から立設する一対の立設部７３とを有し、一対の立設部７３の先端部が連結具５にねじ９０５により取り付けられている。
【００２７】
（４）端子ユニット
図２に示すように、端子ユニット９は、上光源セット３Ａと下光源セット３Ｂとの裏側に設けられている。端子ユニット９は、図外の電源ユニットと接続するケーブルと接続する端子台９１を端子ケース９３に収容する。
端子ユニット９は、上光源セット３Ａ及び下光源セット３Ｂを裏側から見ると、図２に示すように、少なくとも上光源ユニット３０Ａと下光源ユニット３０Ｂとに跨るように配されている。ここでの端子ユニット９は、上下及び幅（左右）の合計４個の光源ユニット３０に跨るように配されている。これにより、上光源セット３Ａ及び下光源セット３Ｂの筐体３２の裏壁部材３２５の貫通孔３２６を塞ぐ閉鎖領域を均一化でき、バランスのよい放熱効率が担保できる。
端子ケース９３は、図３に示すように、底壁の表面から表側に突出する突部９５を有している。端子ユニット９は、突部９５が上光源セット３Ａと下光源セット３Ｂとの間に挿入（介在）する状態で、端子ケース９３の張出部（図示省略）が上光源セット３Ａ及び下光源セット３Ｂの両筐体３２の裏壁部材３２５にねじで固定される。
【００２８】
３．ヒートシンク
図７を用いて説明する。なお、図７はヒートシンクのみを表示している。
上光源セット３Ａを構成する部品等を説明する際には符号に「Ａ」を付加し、下光源セット３Ｂを構成する部品等を説明する際には符号に「Ｂ」を付加する。
上光源ユニット３０Ａは下光源ユニット３０Ｂの上方に位置する。このため、下光源ユニット３０Ｂのヒートシンク３０１Ｂにより加熱された空気が上昇し、上光源ユニット３０Ａのヒートシンク３０１Ａの放熱特性を低下させる。
ここでの上光源ユニット３０Ａのヒートシンク３０１Ａは、下方のヒートシンク３０１Ｂの放熱の影響を受けにくい構成を有する。
以下の具体的な説明において、縦軸Ｘは、ヒートパイプ３０３の中心軸の延伸方向から見たとき（図７である）に、中心軸を通り上下方向に延伸する基準線であり、横軸Ｙは、同方向から見たときに、中心軸を通り幅方向に延伸する基準線である。
【００２９】
（１）下光源ユニット
下光源ユニット３０Ｂのフィンを下側フィン３０４Ｂとし、複数の下側フィン３０４Ｂの内、縦軸Ｘの最下点を基準してヒートパイプ３０３Ｂの中心軸周りにおいて、０°以上４５°未満の領域にあるフィンを「下側１／４フィン」とし、４５°以上９０°未満の領域にあるフィンを「下側２／４フィン」とし、９０°以上１３５°未満の領域にあるフィンを「下側３／４フィン」とし、１３５°以上１８０°未満の領域にあるフィンを「下側４／４フィン」とする。
【００３０】
複数の下側フィン３０４Ｂは、ヒートパイプ３０３Ｂの周方向に間隔（ここでは、等角度である）をおいて設けられている。下側フィン３０４Ｂは縦軸Ｘに対して線対称に設けられている。
下側フィン３０４Ｂは、ヒートパイプ３０３Ｂの径方向に延伸する径延伸部３１１Ｂと、径延伸部３１１Ｂの先端から径延伸部３１１Ｂの延伸方向に対して離れるように傾斜して延伸する傾斜延伸部３１２Ｂとを有する。径延伸部３１１Ｂと傾斜延伸部３１２Ｂは直線状に延伸する。これにより、ヒートシンク３０１Ｂの外径を大きくせずに下側フィン３０４Ｂの延伸長さを大きくできる。
なお、ヒートパイプ３０３Ｂの軸方向から下側フィン３０４Ｂを見たとき、下側フィン３０４Ｂは延伸方向の途中に上下軸から離れる方向（幅方向の外方）に屈曲する屈曲点を有する。
【００３１】
下側１／４フィン３０４Ｂａの複数の傾斜延伸部３１２Ｂａは、縦軸Ｘの最下点を周方向に離れるにしたがって、徐々に横（縦軸Ｘから離れる）を向くように延伸する。下側２／４フィン３０４Ｂｂの傾斜延伸部３１２Ｂｂは、横（縦軸Ｘから離れる）を向いて延伸する。下側３／４フィン３０４Ｂｃの複数の傾斜延伸部３１２Ｂｃは、縦軸Ｘの最下点を周方向に離れる（最上点を周方向に近づく）にしたがって、徐々に上を向くように延伸する。下側４／４フィン３０４Ｂｄの傾斜延伸部３１２Ｂｄは、上を向いて延伸する。
【００３２】
（２）上光源ユニット
上光源ユニット３０Ａのフィンを上側フィン３０４Ａとし、複数の上側フィン３０４Ａの内、縦軸Ｘの最下点を基準して、ヒートパイプ３０３Ａの中心軸周りにおいて、０°以上９０°未満の領域にあるフィンを「上側１／２フィン」とし、９０°以上１８０°未満の領域にあるフィンを「上側２／２フィン」とする。
【００３３】
複数の上側フィン３０４Ａは、ヒートパイプ３０３Ａの周方向に間隔（ここでは、略等角度である）をおいて設けられている。上側フィン３０４Ａは縦軸Ｘに対して線対称に設けられている。
横軸Ｙよりも下方に位置する上側１／２フィン３０４Ａａは、下光源ユニット３０Ｂで熱せられた空気がヒートパイプ３０３Ａに触れるのを規制するように延伸している。
具体的には、上側１／２フィン３０４Ａａは、幅方向に沿って（横を向いて）縦軸Ｘから離れるように延伸する横延伸部３１２Ａａを少なくとも有する。
横延伸部３１２Ａが縦軸Ｘから離れるように延伸しているため、下光源ユニット３０Ｂで熱せられた空気が、隣り合う３０４Ａ同士の間に入りこむことを抑制し、下光源ユニット３０Ｂで熱せられた空気がこもることを規制する。
ここでは、上側１／２フィン３０４Ａａは、ヒートパイプ３０３Ａから径方向に延伸する径延伸部３１１Ａａと、径延伸部３１１Ａａの延伸先端から横方向の外方に延伸する横延伸部３１２Ａａとを有する。なお、径延伸部３１１Ａａと横延伸部３１２Ａａとの接続点を屈曲点とする。
【００３４】
ヒートパイプ３０３Ａの最下点を挟んで隣接する２枚の上側１／２フィン３０４Ａａの横延伸部３１２Ａａは、他方の上側１／２フィン３０４Ａａが存在する側と反対側（外向き）に延伸している。
上側１／２フィン３０４Ａａの横延伸部３１２Ａａは、下方から上側のヒートシンク３０１Ａを見たときに、ヒートパイプ３０３Ａの最下点部分のみが露出するように、延伸している。
これにより、下光源ユニット３０Ｂにより熱せられて空気が上光源ユニット３０Ａのヒートパイプ３０３Ａに触れるのを少なくできる。これにより、上光源ユニット３０Ａのヒートパイプ３０３Ａの放熱特性の低下を抑制できる。
【００３５】
上側１／２フィン３０４Ａａの横延伸部３１２Ａａは横（上下軸から離れる側）を向いて延伸している。横延伸部３１２Ａａの延伸先端（径延伸部３１１Ａａと反対側）は、上側に隣接する他の上側１／２フィン３０４Ａａの屈曲点に対して上下軸と反対側に位置する。これにより、下光源ユニット３０Ｂにより熱せられた空気が、上光源ユニット３０Ａの上側１／２フィン３０４Ａａであって下方に位置するフィンに沿って上昇してきた空気が、上側直近の上側１／２フィン３０４Ａａの横延伸部３１２Ａａにより、ヒートパイプ３０３Ａ側へ向かうのを防止できる。
【００３６】
上側２／２フィン３０４Ａｂは、ヒートパイプ３０３Ａから径方向に延伸する径延伸部３１１Ａｂと、径延伸部３１１Ａｂの延伸先端から上向きに延伸する上延伸部３１２Ａｂとを有する。なお、径延伸部３１１Ａｂと上延伸部３１２Ａｂとの接続点を屈曲点とする。
上側２／２フィン３０４Ａｂの屈曲点は、上側に隣接する他の上側２／２フィン３０４Ａｂの上延伸部３１２Ａｂよりも上下軸から離れている。これにより、ヒートパイプ３０３Ａにより熱せられた空気がスムーズに上昇できる。
【００３７】
＜第２実施形態＞
第２実施形態に係るヒートシンク１３０１Ａについて説明する。
ヒートシンク１３０１Ａは上側に位置する上光源ユニットに含まれる。
ヒートシンク１３０１Ａは、ヒートパイプ１３０３Ａと複数のフィン１３０４Ａとを有する。複数のフィン１３０４Ａの内、縦軸Ｘの最下点（０°である）を基準して、ヒートパイプ１３０３Ａの中心軸周りにおいて、最下点にあるフィンを「１／４フィン」とし、０°より大きく９０°未満の領域にあるフィンを「２／４フィン」とし、９０°以上１８０°未満の領域にあるフィンを「３／４フィン」とし、最上点（１８０°である）にあるフィンを「４／４フィン」とする。
【００３８】
複数のフィン１３０４Ａは、ヒートパイプ１３０３Ａの周方向に間隔（ここでは、略等角度である）をおいて設けられている。フィン１３０４Ａは縦軸Ｘに対して線対称に設けられている。
１／４フィン１３０４Ａａは、下光源ユニット３０Ｂで熱せられた空気がヒートパイプ１３０３Ａに触れるのを規制するように延伸している。具体的には、１／４フィン１３０４Ａａは、幅方向に沿って（横を向いて）縦軸Ｘから離れるように延伸する一対の横延伸部１３１２Ａａを少なくとも有する。２／４フィン１３０４Ａｂは幅方向に沿って（横を向いて）縦軸Ｘから離れるように延伸する横延伸部１３１２Ａｂを少なくとも有する。
ここでは、１／４フィン１３０４Ａａは、ヒートパイプ１３０３Ａから径方向に延伸する径延伸部１３１１Ａａと、径延伸部１３１１Ａａの延伸先端から横方向を上方に向かって延伸する一対の横延伸部１３１２Ａａとを有する。２／４フィン１３０４Ａｂは、ヒートパイプ１３０３Ａから径方向に延伸する径延伸部１３１１Ａｂと、径延伸部１３１１Ａｂの延伸先端から横方向を上方に向かって延伸する横延伸部１３１２Ａｂとを有する。なお、横延伸部１３１２Ａａ，１３１２Ａｂの延伸方向は、横方向と交差する方向である。
なお、径延伸部１３１１Ａａと横延伸部１３１２Ａａとの接続点を屈曲点とする。
【００３９】
一対の１／４フィン１３０４Ａａにおける横延伸部１３１２Ａａの延伸先端（径延伸部１３１１Ａａと反対側）は、上側に隣接する２／４フィン１３０４Ａｂの屈曲点に対して上下軸と反対側に位置する。これにより、下光源ユニットにより熱せられて上昇してきた空気が、１／４フィン１３０４Ａａの横延伸部１３１２Ａａの上面に沿ってヒートパイプ１３０３Ａ側に向かうのを防止できる。
２／４フィン１３０４Ａｂにおける横延伸部１３１２Ａｂの延伸先端（径延伸部１３１１Ａｂと反対側）は、上側に隣接する他の上側２／４フィン１３０４Ａｂの屈曲点に対して上下軸と反対側に位置する。これにより、下光源ユニットにより熱せられて空気が、上光源ユニットの２／４フィン１３０４Ａｂであって下方に位置するフィンに沿って上昇してきた空気が、上側直近の２／４フィン１３０４Ａｂの横延伸部１３１２Ａｂにより、ヒートパイプ１３０３Ａ側に向かうのを防止できる。
つまり、下方に位置するフィンに沿って上昇してきた空気が、隣り合うフィン同士の間に入り込み、上昇してきた空気がこもることを抑制可能である。
【００４０】
１／４フィン１３０４Ａａと２／４フィン１３０４Ａｂが上記構成を有することで、ヒートシンク１３０１Ａを下方から見たときに、ヒートパイプ１３０３Ａが露出しなくなる。これにより、下光源ユニットにより熱せられて空気が上光源ユニットのヒートパイプ１３０３Ａに触れるのを少なくできる。これにより、上光源ユニットのヒートパイプ１３０３Ａの放熱特性の低下を抑制できる。
【００４１】
３／４フィン１３０４Ａｃは、ヒートパイプ１３０３Ａから径方向に延伸する径延伸部１３１１Ａｃと、径延伸部１３１１Ａｃの延伸先端から上向きに延伸する上延伸部１３１２Ａｃとを有する。なお、径延伸部１３１１Ａｃと上延伸部１３１２Ａｃとの接続点を屈曲点とする。
３／４フィン１３０４Ａｃの屈曲点は、上側に隣接する他の上側３／４フィン１３０４Ａｃの上延伸部１３１２Ａｃよりも上下軸から離れている。これにより、ヒートパイプ１３０３Ａにより熱せられた空気がスムーズに上昇できる。
なお、４／４フィン１３０４Ａｄは、ヒートパイプ１３０３Ａから径方向に延伸する径延伸部１３１１Ａｄを有する。
【００４２】
＜評価結果＞
第１実施形態の上側フィン３０４Ａ及び第２実施形態のフィン１３０４Ａを用いて、ＬＥＤモジュール３０２のＬＥＤの温度（チップ温度）を測定した結果が図９である。
図中の「垂直時」は、ヒートシンクのヒートパイプの軸心が水平になった状態である。「仰角」は、ＬＥＤモジュール側が水平状態から下方に傾斜した際のヒートパイプの軸心と、水平方向との間の角度である。「風速０．３ｍ/ｓ」は照明装置に対して前後方向の風を当てた場合である。
ＬＥＤの温度は、ヒートシンクが組み込まれた照明装置の状態で行われ、照明装置を定格条件で点灯させ、ＬＥＤ温度が飽和した状況下に測定したものである。照明装置は、ヒートシンク（フィン形状）以外の構成はすべて同じである。
図９により、実施形態で説明したヒートシンク３０１Ａ，１３０１Ａを用いると、横方向に延伸する横延伸部３１２Ａ，１３１２Ａａ，１３１２Ａｂを有しないヒートシンクよりも、ＬＥＤの温度が低下していることが分かる。
【００４３】
＜変形例＞
１．照明装置
第１実施形態の照明装置１は、幅方向に光源ユニット３０を２個備える光源セット３Ａ，３Ｂを上下に２段有している。しかしながら、図１０の（ａ）に示すように、幅方向に光源ユニット２０３０を複数個（ここでは３個）有する光源ユニット２００３を複数段（ここでは３段）備える照明装置２００１であってもよい。
図１０（a）に示すように上段の光源ユニットを「２００３Ａ」とし、中段の光源ユニットを「２００３Ｂ」、下段の光源ユニットを「２００３Ｃ」とする。
この場合も、図１０の（ｂ）に示すように、少なくとも上側から１番目及び２番目に位置する光源ユニット２００３Ａ，２００３Ｂのヒートシンク２３０１のフィン２３０４は横延伸部２３１２を有する。
つまり、本発明は、上下に隣接する光源ユニット（ヒートシンク）を備えればよく、幅方向に１個又は３以上の複数個の光源ユニットを備えてもよいし、幅方向に複数個の光源ユニットを備える光源セットを上下で１組の光源ユニットのみが隣接する状態で備えてもよいし、上下方向に３個（３段）以上の光源ユニットが隣接する状態で備えてもよいし、幅方向に２個以上の光源ユニットを備える光源セットを上下方向に３段以上備えてもよい。
上段の光源ユニット２００３Ａと中段の光源ユニット２００３Ｂとに、第１実施形態の上側フィン３０４Ａ及び/又は第２実施形態のフィン１３０４Ａを採用する。
【００４４】
２．光源ユニット
実施形態の光源セット３Ａ，３Ｂは光源ユニット３０を２個有し、２個の光源ユニット３０が筐体３２の表壁部材３２４に取り付けられているが、例えば、２個の光源ユニットが１個の筐体に収容された状態で幅方向に連結具により連結されて光源ユニットが構成されてもよいし、２個の光源ユニットが１つの筐体により収容されて上下に連結具により連結されてもよい（この場合、光源ユニットが光源セットでもある）し、２個の光源ユニットが１個の筐体に収容されてもよい（この場合、幅方向に複数列で備えてもよい）。
光源ユニット３０は、ＬＥＤモジュール３０２とヒートシンク３０１とを備えればよく、例えば、リフレクタを備えてなくてもよい。また、カバー３５を筐体の構成としてもよい。
カバー３５は２つの光源ユニット３０を覆うように設けられているが、例えば、１つの光源ユニットを覆うように設けられてもよい。
【００４５】
３．パッキン
（１）パッキン（３６）
実施形態のパッキン３６は、筐体３２の表壁部材３２４と当接する部位に、表壁部材３２４側に突出する凸部３６３を有している。これにより表壁部材３２４とパッキン３６との密閉性を高めることができる。さらに、表壁はパッキン３６の凸部３６３と対向する部位に溝を有してもよい。これにより、密閉性をさらに高めることができる。この場合、凸部の体積が溝の体積よりも大きいことが好ましい。
凸部３６３は全体として環状をし、溝も環状に設けるのが好ましい。ここでの凸部３６３は多重の環状に設けられているが、一重に設けられてもよい。なお、上記の密閉性はパッキンに起因するものであり、光源モジュール、ヒートシンク等の構成によって限定されるものではない。
また、パッキン３６を設けずに、表板３０５の表面に放熱接着剤（シリコーン接着剤、シリコーングリス等）を塗布し、表壁部材３２４の裏面に直接取り付けることも想定できる。また、表板３０５の表面に放熱接着剤を塗布しＬＥＤモジュール３０２の裏面に取り付けることも想定できる。
この場合、シリコーン接着剤は、回路部品等への影響を考慮するとシロキサンを含有しないものが望ましい。
【００４６】
実施形態のパッキン３６は、光源ユニット３０の表板３０５と当接する部位に、表板３０５側に突出する凸部３６１を有している。これにより表板３０５とパッキン３６との密閉性を高めることができる。さらに、表板はパッキン３６の凸部３６１と対向する部位に溝を有してもよい。これにより、密閉性をさらに高めることができる。この場合、凸部の体積が溝の体積よりも大きいことが好ましい。
凸部３６１は全体として環状をし、溝も環状に設けるのが好ましい。ここでの凸部３６１は多重の環状に設けられているが、一重に設けられてもよい。なお、上記の密閉性はパッキンに起因するものであり、光源モジュール、ヒートシンク等の構成によって限定されるものではない。
【００４７】
（２）パッキン（３７）
実施形態のパッキン３７は、カバー３５の屈曲部３５３と当接する部位に、屈曲部３５３側に突出する凸部３７５を有している。これにより、屈曲部３５３とパッキン３７との密閉性を高めることができる。さらに、屈曲部３５３はパッキン３７の凸部３６３と対向する部位に溝を有してもよい。これにより、密閉性をさらに高めることができる。この場合、凸部の体積が溝の体積よりも大きいことが好ましい。
凸部３７５は全体として環状をし、溝も環状に設けるのが好ましい。ここでの凸部３７５は多重の環状に設けられているが、一重に設けられてもよい。なお、上記の密閉性はパッキンに起因するものであり、光源モジュール、ヒートシンク等の構成によって限定されるものではない。
【００４８】
実施形態のパッキン３７は、筐体３２の表壁部材３２４と当接する部位に、表壁部材３２４側に突出する凸部３７７を有している。これにより表壁部材３２４とパッキン３７との密閉性を高めることができる。さらに、表壁はパッキン３７の凸部３７７と対向する部位に溝を有してもよい。これにより、密閉性をさらに高めることができる。この場合、凸部の体積が溝の体積よりも大きいことが好ましい。
凸部３７７は全体として環状をし、溝も環状に設けるのが好ましい。ここでの凸部３７７は多重の環状に設けられているが、一重に設けられてもよい。なお、上記の密閉性はパッキンに起因するものであり、光源モジュール、ヒートシンク等の構成によって限定されるものではない。
【００４９】
４．作動液
ヒートパイプ３０３内には、作動液が充填されることを説明したが、作動液としては、純水、Ｒ１３４ａが想定できる。
ヒートパイプ３０３はアルミ製のため、作動液に純水を採用した場合、アルミと純水が腐食反応し、その内周面において水素を発生させる懸念がある。
そのため、ヒートパイプ３０３の内周面に水酸化クロムによる膜（層）を形成することで、水酸化クロムの膜を形成していない場合に比して、水素の発生（腐食すること）を抑制可能である。
【符号の説明】
【００５０】
１            照明装置
３Ａ，３Ｂ    光源セット
３０            光源ユニット
３０１            ヒートシンク
３０２            ＬＥＤモジュール
３０３            ヒートパイプ
３０４            フィン
【図１】
2020087545.tif 000003
【図２】
2020087545.tif 000004
【図３】
2020087545.tif 000005
【図４】
2020087545.tif 000006
【図５】
2020087545.tif 000007
【図６】
2020087545.tif 000008
【図７】
2020087545.tif 000009
【図８】
2020087545.tif 000010
【図９】
2020087545.tif 000011
【図１０】
2020087545.tif 000012